(57)【要約】【課題】  画質を低下させる原因の発生を抑えて画質の維持に寄与する現像装置、および、この現像装置を備えた画像形成装置を提供する。【解決手段】  トナーを含む現像剤を内部に収容する収容槽と、前記収容槽の内部空間を仕切ることで複数の収容室を形成する仕切と、前記現像剤を前記内部空間内で攪拌しながら前記複数の収容室の相互間で移動させる攪拌機構と、前記収容槽から前記現像剤を供給され、該現像剤を、表面に静電潜像を保持する像保持体の表面に近接あるいは接触するように搬送することで該静電潜像を現像する搬送部と、少なくとも前記仕切を動かす駆動機構とを備えた。【選択図】        図４
2009198778.tif 000002
【特許請求の範囲】
【請求項１】
トナーを含む現像剤を内部に収容する収容槽と、
前記収容槽の内部空間を仕切ることで複数の収容室を形成する仕切と、
前記現像剤を前記内部空間内で攪拌しながら前記複数の収容室の相互間で移動させる攪拌機構と、
前記収容槽から前記現像剤を供給され、該現像剤を、表面に静電潜像を保持する像保持体の表面に近接あるいは接触するように搬送することで該静電潜像を現像する搬送部と、
少なくとも前記仕切を動かす駆動機構とを備えたことを特徴とする現像装置。
【請求項２】
前記駆動機構が、前記仕切を前記収容槽とは独立に動かすものであることを特徴とする請求項１記載の現像装置。
【請求項３】
前記駆動機構が、前記仕切を、該仕切が前記内部空間を仕切る位置を維持して該位置に沿って動かすものであることを特徴とする請求項１または２記載の現像装置。
【請求項４】
前記駆動機構が、前記仕切を、該仕切の所定箇所を軸として揺動させるものであることを特徴とする請求項１または２記載の現像装置。
【請求項５】
前記駆動機構が、前記仕切を前記収容槽と共に動かすものであることを特徴とする請求項１記載の現像装置。
【請求項６】
前記仕切および前記収容槽が一体に形成されたものであり、
前記駆動機構が、前記仕切および前記収容槽を振動させるものであることを特徴とする請求項１または５記載の現像装置。
【請求項７】
前記仕切および前記収容槽を内包した、少なくとも該仕切の剛性よりも高い剛性を有する筐体を備え、
前記駆動機構が、前記仕切および前記収容槽を前記筐体内で振動させるものであることを特徴とする請求項１、５、６のうちいずれか１項記載の現像装置。
【請求項８】
前記仕切および前記収容槽が一体に形成されたものであり、
前記駆動機構が、前記仕切および前記収容槽を、前記搬送部を中心として揺動させるものであることを特徴とする請求項１または５記載の現像装置。
【請求項９】
トナーを含む現像剤を内部に収容する収容槽と、
前記収容槽の内部空間を仕切ることで複数の収容室を形成する仕切と、
前記現像剤を前記内部空間内で攪拌しながら前記複数の収容室の相互間で移動させる攪拌機構と、
前記収容槽から前記現像剤を供給され、該現像剤を、表面に静電潜像を保持する像保持体の表面に近接あるいは接触するように搬送することで該静電潜像を現像する搬送部と、
前記仕切に沿って移動する移動部材とを備えたことを特徴とする現像装置。
【請求項１０】
表面に像が形成されて該像を保持する像保持体と、
前記像保持体の表面に静電潜像を形成する潜像形成部と、
前記像保持体表面に形成された静電潜像にトナーを付着させてトナー像を形成する、該トナーを含む現像剤を内部に収容する現像装置とを備え、
前記現像装置が、
トナーを含む現像剤を内部に収容する収容槽と、
前記収容槽の内部空間を仕切ることで複数の収容室を形成する仕切と、
前記現像剤を前記内部空間内で攪拌しながら前記複数の収容室の相互間で移動させる攪拌機構と、
前記収容槽から前記現像剤を供給され、該現像剤を、表面に静電潜像を保持する像保持体の表面に近接あるいは接触するように搬送することで該静電潜像を現像する搬送部と、
少なくとも前記仕切を動かす駆動機構とを備えたものであることを特徴とする画像形成装置。
【請求項１１】
表面に像が形成されて該像を保持する像保持体と、
前記像保持体の表面に静電潜像を形成する潜像形成部と、
前記像保持体表面に形成された静電潜像にトナーを付着させてトナー像を形成する、該トナーを含む現像剤を内部に収容した現像装置とを備え、
前記現像装置が、
トナーを含む現像剤を内部に収容する収容槽と、
前記収容槽の内部空間を仕切ることで複数の収容室を形成する仕切と、
前記現像剤を前記内部空間内で攪拌しながら前記複数の収容室の相互間で移動させる攪拌機構と、
前記収容槽から前記現像剤を供給され、該現像剤を、表面に静電潜像を保持する像保持体の表面に近接あるいは接触するように搬送することで該静電潜像を現像する搬送部と、
前記仕切に沿って移動する移動部材とを備えたものであることを特徴とする画像形成装置。
【発明の詳細な説明】
【技術分野】
【０００１】
本発明は、トナーを含む現像剤で静電潜像を現像する現像装置、および、この現像装置を備えた画像形成装置に関する。
【背景技術】
【０００２】
従来より、感光体などの像保持体表面に静電潜像を形成し、この静電潜像を、トナーとの摩擦によりトナーを帯電させる電荷付与粒子である磁性キャリアとを含む現像剤で現像することにより現像像を得て、この得られた現像像を用紙上に転写および定着することにより、用紙上に定着像からなる画像を形成する画像形成装置が知られている。
【０００３】
この様な画像形成装置には、トナーと磁性キャリアとを含む現像剤を収容する収容槽と、この収容槽に収容されている現像剤を回転しながら表面に保持する現像ロールとを有する現像装置を備えているものがあり、この様な現像装置では、収容槽内に備えられた撹拌部材により現像剤が撹拌され、この撹拌によりトナーと磁性キャリアとが摩擦することで、トナーは所定の極性に帯電すると共に磁性キャリアはトナーの帯電極性とは逆極に帯電することとなる。このため、現像剤中では、トナーは磁性キャリアに静電的に付着している。
【０００４】
また、この様な現像装置には、収容槽内を仕切で仕切ることで形成した、現像ロールに隣接した第１収容室と、この第１収容室に隣接した第２収容室との相互間で現像剤を撹拌しながら移動させるものがある。
【０００５】
このように、ハウジング内が仕切りで仕切られている現像装置では、仕切に付着した現像剤が次第に成長して塊になると、自重や振動によりそれが一気に崩落する場合がある。
【０００６】
ところが、仕切に付着して塊となった現像剤には、キャリアとの撹拌不足のために帯電量が不十分のトナーが多く含まれており、この様なトナーが一気に崩落することで画質の低下が引き起こされるおそれがある。
【０００７】
そこで、現像剤の嵩が急激に減ること等により現像剤が仕切に付着しても、それが塊とならないように、撹拌部材と仕切の間の寸法を最適化する提案がなされている（特許文献１参照）。
【特許文献１】特開２０００−０１９８２２号公報
【発明の開示】
【発明が解決しようとする課題】
【０００８】
しかしながら、上記提案でも、現像剤が凝集しやすくなる高湿環境下では対応が不十分となるおそれがある。
【０００９】
本発明は、上記事情に鑑み、画質を低下させる原因の発生を抑えて画質の維持に寄与する現像装置、および、この現像装置を備えた画像形成装置を提供することを目的とする。
【課題を解決するための手段】
【００１０】
上記目的を達成するための本発明の現像器のうちの第１の現像装置は、
トナーを含む現像剤を内部に収容する収容槽と、
上記収容槽の内部空間を仕切ることで複数の収容室を形成する仕切と、
上記現像剤を上記内部空間内で攪拌しながら上記複数の収容室の相互間で移動させる攪拌機構と、
上記収容槽から上記現像剤を供給され、この現像剤を、表面に静電潜像を保持する像保持体の表面に近接あるいは接触するように搬送することでこの静電潜像を現像する搬送部と、
少なくとも上記仕切を動かす駆動機構とを備えたことを特徴とする。
【００１１】
本発明の第１の現像装置では、駆動機構により少なくとも仕切が動かされることで、仕切に接した現像剤がほぐされる。これにより、仕切に接した現像剤同士の結びつきが強固にならず、仕切に接した現像剤が塊となることを防止できる。したがって、本発明の第１の現像装置によれば、画質を低下させる原因の発生を抑えることができる。
【００１２】
ここで、上記駆動機構が、上記仕切を上記収容槽とは独立に動かすものであることが好ましく、さらには、上記駆動機構が、上記仕切を、この仕切が上記内部空間を仕切る位置を維持してこの位置に沿って動かすものであることも好ましい態様である。また、上記駆動機構が、上記仕切を、この仕切の所定箇所を軸として揺動させるものであることも好ましい。また、上記駆動機構が、上記仕切を上記収容槽と共に動かすものであることも好ましく、さらに、上記仕切および上記収容槽が一体に形成されたものであり、上記駆動機構が、上記仕切および上記収容槽を振動させるものであることも好ましい。また、本発明の第１の現像装置が、上記仕切および上記収容槽を内包した、少なくともこの仕切の剛性よりも高い剛性を有する筐体を備え、上記駆動機構が、上記仕切および上記収容槽を上記筐体内で振動させるものであることも好ましく、また、上記仕切および上記収容槽が一体に形成されたものであり、上記駆動機構が、上記仕切および上記収容槽を、上記搬送部を中心として揺動させるものであることが好ましい。
【００１３】
この様にすると、仕切に接触した現像剤をより確実にほぐすことができる。
【００１４】
上記目的を達成するための本発明の現像器のうちの第２の現像装置は、
トナーを含む現像剤を内部に収容する収容槽と、
上記収容槽の内部空間を仕切ることで複数の収容室を形成する仕切と、
上記現像剤を上記内部空間内で攪拌しながら上記複数の収容室の相互間で移動させる攪拌機構と、
上記収容槽から上記現像剤を供給され、この現像剤を、表面に静電潜像を保持する像保持体の表面に近接あるいは接触するように搬送することでこの静電潜像を現像する搬送部と、
上記仕切に沿って移動する移動部材とを備えたことを特徴とする。
【００１５】
本発明の第２の現像装置では、移動部材が仕切に沿って移動することで仕切に接した現像剤がほぐされる。これにより、仕切に接触した現像剤同士の結びつきが強固にならず、塊になることを防止できる。したがって、本発明の第２の現像装置によれば、画質を低下させる原因の発生を抑えることができる。
【００１６】
上記目的を達成するための本発明の画像形成装置のうちの第１の画像形成装置は、
表面に像が形成されてこの像を保持する像保持体と、
上記像保持体の表面に静電潜像を形成する潜像形成部と、
上記像保持体表面に形成された静電潜像に現像剤を付着させて現像像を形成する、このトナーを含む現像剤を内部に収容する現像装置とを備え、
上記現像装置が、
トナーを含む現像剤を内部に収容する収容槽と、
上記収容槽の内部空間を仕切ることで複数の収容室を形成する仕切と、
上記現像剤を上記内部空間内で攪拌しながら上記複数の収容室の相互間で移動させる攪拌機構と、
上記収容槽から上記現像剤を供給され、この現像剤を、表面に静電潜像を保持する像保持体の表面に近接あるいは接触するように搬送することでこの静電潜像を現像する搬送部と、
少なくとも上記仕切を動かす駆動機構とを備えたものであることを特徴とする。
【００１７】
本発明の第１の画像形成装置によれば、画質を低下させる原因の発生を抑える現像装置を備えていることで、画質の維持を図ることができる。
【００１８】
上記目的を達成するための本発明の画像形成装置のうちの第２の画像形成装置は、
表面に像が形成されてこの像を保持する像保持体と、
上記像保持体の表面に静電潜像を形成する潜像形成部と、
上記像保持体表面に形成された静電潜像に現像剤を付着させて現像像を形成する、このトナーを含む現像剤を内部に収容する現像装置とを備え、
上記現像装置が、
トナーを含む現像剤を内部に収容する収容槽と、
上記収容槽の内部空間を仕切ることで複数の収容室を形成する仕切と、
上記現像剤を上記内部空間内で攪拌しながら上記複数の収容室の相互間で移動させる攪拌機構と、
上記収容槽から上記現像剤を供給され、この現像剤を、表面に静電潜像を保持する像保持体の表面に近接あるいは接触するように搬送することでこの静電潜像を現像する搬送部と、
上記仕切に沿って移動する移動部材とを備えたものであることを特徴とする。
【００１９】
本発明の第２の画像形成装置によれば、画質を低下させる原因の発生を抑える現像装置を備えていることで、画質の維持を図ることができる。
【発明の効果】
【００２０】
本発明によれば、夏環境における画像背景部へのカブリなどの画質を低下させる原因の発生を抑えて画質の維持に寄与する現像装置、および、この現像装置を備えた画像形成装置を提供することができる。
【発明を実施するための最良の形態】
【００２１】
以下、本発明の実施形態について説明する。
【００２２】
図１は、画像形成装置の概略構成図である。
【００２３】
図１に示す画像形成装置１は、矢印Ａ方向に回転する、表面に像を保持する像保持体１０、この像保持体１０の表面に電荷を付与する帯電器１１、外部から送信されてきた画像データに基づいた露光光を生成する露光器１２、トナーと磁性キャリアとを含む現像剤を収容する現像器２、記録用紙を収容する用紙カセット１６、用紙カセット１６から記録用紙を引き出して搬送する用紙搬送装置１７、像保持体１０の表面に保持されているトナー像を、矢印Ｂ方向に搬送されてきた記録用紙上に転写する転写ロール１４、および、記録用紙上のトナー像を加熱することでその記録用紙上にトナー像を定着させる定着器１５とを有している。また、現像器２には、像保持体１０に対向して回転する現像ロール２０が備えられており、現像剤には、トナーと、磁石によって吸着されるとともにトナーとの摩擦によりトナーを帯電させる電荷付与粒子でもある磁性キャリアとが含まれている。
【００２４】
図１に示す画像形成装置１では、表面に所定の電荷が付与された像保持体１０のこの表面に画像データに基づいた露光光が露光器１２により照射されることで静電潜像が形成され、メカニズムについては後述するが、現像器２に収容された現像剤が現像ロール２０の表面に供給され、これら像保持体１０と現像ロール２０との間に形成された現像領域に現像剤が運ばれ、運ばれた現像剤中のトナーにより、像保持体１０の表面に形成された静電潜像が現像される。この現像により得られたトナー像が、矢印Ｂ方向に搬送されてきた記録用紙上に転写ロール１４により転写され、定着器１５により記録用紙上で加熱および加圧されることでその記録用紙上に定着されて画像形成が行われる。この画像形成装置１は、本発明の現像装置の第１実施形態を含む、本発明の画像形成装置の第１実施形態である。
【００２５】
図２および図３は、図１に示した現像器の詳細構成図である。
【００２６】
図２には、図１に示す現像器２の上方からの透視図が示され、図３には、図２に示すＡ−Ａの断面図が示されている。
【００２７】
図２および図３に示す現像器２は、現像ロール２０と撹拌部材２２と仕切板２３と槽２１とを有し、トナーと磁性キャリアとを含む現像剤を収容して撹拌し、撹拌した現像剤中のトナーを現像ロール２０に供給する。
【００２８】
現像ロール２０は円筒形状を有して回転するものであり、その回転の方向は、像保持体１０に面する現像領域２０ａで周面が下向きに移動する方向となっている。
【００２９】
槽２１は、樹脂製のものであり、現像剤が収容される。また、この槽２１は、この現像ロール２０の回転軸の両端を支持すると共に、現像ロール２０の回転軸に沿って延びた仕切板２３によって内部空間が、回転する現像ロール２０の表面に現像剤を供給する第１収容室２１ａと、仕切板２３を挟んでその第１収容室２１ａに隣接した第２収容室２１ｂとの２つに分けられている。
【００３０】
撹拌部材２２は、螺旋状のものであって、第１収容室２１ａと第２収容室２１ｂとのそれぞれに逆向きに１本ずつ配備されたおり、これらが駆動されると、現像剤は撹拌されると共に螺旋の中心軸に沿って移動する。これにより、現像剤は、第１収容室２１ａと第２収容室２１ｂとの間で循環移動することとなる。この様に現像剤が撹拌されることで、トナーは、磁性キャリアと摩擦により所定の帯電量を有することとなる。
【００３１】
現像ロール２０は、詳細な図示は省略するが、矢印Ｄ方向に回転する中空円筒形状の現像スリーブと、この現像スリーブの内部に、この現像スリーブとは独立に固定されたマグネットロールとを有している。尚、現像ロール２０には、像保持体１０の表面に形成された静電潜像との間に電位差が生じるように所定の電圧が印加されている。
【００３２】
回転する現像スリーブは、内部のマグネットロールに現像剤が引きつけられることで現像剤の供給を受け、像保持体１０との間に形成された現像領域２０ａに、供給された現像剤を搬送する。現像ロール２０により現像領域２０ａに搬送された現像剤のうちのトナーは、像保持体１０に形成された静電潜像と現像ロール２０との間に設けられた電位差により、磁性キャリアから離れて像保持体表面に形成された静電潜像側に移行する。これにより像保持体表面にはトナー像が形成される。
【００３３】
この現像器２では、上述したように、槽２１の第１収容室２１ａと第２収容室２１ｂとのそれぞれに１本ずつ備えられた撹拌部材により現像剤が撹拌されることでトナーと磁性キャリアとが摩擦し、トナーの帯電量は、静電潜像の現像に必要な量にまで引き上げられる。しかしながら、仕切板２３に付着した現像剤が次第に成長して塊になると、その塊に含まれているトナーはキャリアとの摩擦機会が少ないために低帯電であると考えられる。したがって、自重や振動により塊が崩落すると、画像品質に悪影響が出るおそれがある。そこで、この現像装置２では、仕切板２３に付着した現像剤が塊とならないような措置が採られている。
【００３４】
図４は、図２および図３に示す現像装置の仕切板部分の詳細構成図である。
【００３５】
図４に示す仕切板２３は、固定部２３１と被駆動部２３２とで構成されており、図３における図示は省略したが、この現像装置２には、仕切板２３１のうちの被駆動部２３２を駆動させるための駆動部２４も備えられている。この駆動部２４は、ステッピングモータ２４１、ピニオンギア２４２、ギア２４３、および軸２４４を備えている。
【００３６】
固定部２３１は、槽２１の底面に固定されており、駆動部２３２は、固定部２３１よりも一回り小さめで、固定部２３１よりも厚みが薄い樹脂製のものである。２枚の被駆動部２３２の端部には、それぞれ、図４においては手前側と奥側との間に延在して示される金属製の軸２４４が埋設されている。軸２４４の両端は槽２１によって回動自在に支持されており、被駆動部２３２は、図４（ａ）に示すように固定部２３１の表裏面に沿って軸２４４からぶら下がっている。
【００３７】
２本の軸２４４の端部には、それぞれギア２４３が取り付けられており、これら２つのギア２４３は互いに噛み合っている。これら２つのギア２４３のうちの一方には、ステッピングモータ２４１の回転軸２４１１に取り付けられたピニオンギア２４２が噛み合っている。このため、ステッピングモータ２４１を駆動させることで、２枚の被駆動部２３２は固定部２３１に対して対象に開いたり（図４（ｂ）参照）閉じたり（図４（ｂ）参照）する。したがって、本実施形態の現像装置２では、ステッピングモータ２４１を適宜駆動させ、被駆動部２３２を固定部２３１に対し開閉させることで、被駆動部２３２に付着した現像剤にショックを与えてこれをほぐすことができる。
【００３８】
以下、図１に示す画像形成装置１に備えられている現像装置２と同様に、現像剤の収容槽を仕切る仕切板に付着した現像剤をほぐすことができ、かつ、この現像装置２と置換可能な他の現像装置について説明する。
【００３９】
図５は、第２実施形態の現像装置の仕切部分の詳細構成図である。尚、以下では、図２および図３に示す部材と同じ機能を有する部材については、図２および図３において付されている符号と同じ符号が付されている。
【００４０】
図５に示す現像装置３の仕切板３３は、樹脂製の単体の板材であり、この現像装置３には、この仕切板３３を駆動させるための駆動部３４が備えられている。尚、この現像装置３は、本発明の現像装置の第２実施形態である。
【００４１】
この駆動部３４は、ステッピングモータ３４１、ピニオンギア３４２、ギア３４３、および軸３４４を備えている。
【００４２】
仕切板３３の端部には、図５においては手前側と奥側との間に延在して示される金属製の軸３４４が埋設されており、軸３４４の両端は、この軸３４４が埋設されている仕切板３３がその仕切板３３のもう一方の端部が槽２１の底面に接触するように（図５（ａ）参照）槽２１によって回動自在に支持されている。
【００４３】
軸３４４の端部には、ギア３４３が取り付けられており、ギア３４３には、ステッピングモータ３４１の回転軸３４１１に取り付けられたピニオンギア３４２が噛み合っている。このため、ステッピングモータ３４１を駆動させることで、仕切板３３は、この軸３４４を中心に図５における左右（図５（ａ）および図５（ｂ）参照）に振れる。したがって、本実施形態の現像装置３でも、ステッピングモータ３４１を適宜、駆動させることで、仕切板３３に付着した現像剤をほぐすことができる。
【００４４】
図６は、第３実施形態の現像装置の仕切部分の詳細構成図である。
【００４５】
図６に示す現像装置４では、現像ロール４０の中心軸４１の両端は、槽２１を貫通すると共に、画像形成装置１の不図示のフレームに支持されており、仕切板４３が底面に固定されている槽２１は、現像ロール４０を中心に揺動自在となっている。尚、この現像装置４は、本発明の現像装置の第３実施形態である。
【００４６】
また、この現像装置４には、槽２１の底部を支持するカム４４１と、このカム４１が回転軸４４１１に取り付けられたステッピングモータ４４２とを有する駆動部４４が備えられている。これにより、この現像装置４では、ステッピングモータ４４２を駆動させることで、槽２１を現像ロール４０を中心として傾けたり（図６（ｂ）参照）、水平位置（図６（ａ）参照）に戻したりすることができる。したがって、本実施形態の現像装置４でも、ステッピングモータ４４２を適宜駆動させて槽２１を揺動させることで、仕切板４３に付着した現像剤をほぐすことができる。
【００４７】
図７は、第４実施形態の現像装置の仕切部分の詳細構成図である。
【００４８】
図７に示す現像装置５の仕切板５３は、断面が逆Ｔ字形の部材であり、この現像装置５には、槽２１に対して仕切板５３が上下方向に駆動するための駆動部５４が備えられている。尚、この現像装置５は、本発明の現像装置の第４実施形態である。
【００４９】
この駆動部５４は、ステッピングモータ５４１、ピニオンギア５４２、ギア５４３、仕切板５３を支持するラボジャッキ５４４、およびモータ保持部５４５を備えている。ラボジャッキ５４４は、公知の装置であるので詳細な説明は省略するが、ジャッキの中央部分に図７における左右方向に挿通された、表面に螺旋状の溝を有する軸棒５４４１を回転させジャッキ部分を変形させることで支持位置を変更するものである。モータ保持部５４５は、ラボジャッキ５４４の支持位置の変化に対して、ピニオンギア５４２とギア５４３との噛み合わせを安定させるためのものである。
【００５０】
軸棒５４４１の端部には、ギア５４３が取り付けられており、ギア５４３には、ステッピングモータ５４１の回転軸５４１１に取り付けられたピニオンギア５４２が噛み合っている。このため、ステッピングモータ５４１を駆動させることで、槽２１に対する仕切板５３の高さの変更（図７（ａ）および図７（ｂ）参照）が可能となっている。したがって、本実施形態の現像装置４でも、ステッピングモータ５４１を適宜駆動させ、槽２１に対し仕切板５３を上下させることで、仕切板５３に付着した現像剤をほぐすことができる。尚、仕切り板５３を、上述のように槽２１に対する上下ではなく、図７における奥側から手前側へと、あるいは、手前側から奥側へと動かしてもよく、さらには、撹拌部材２２に接触しない程度に、図７における左右方向に動かしても良い。
【００５１】
図８は、第５実施形態の現像装置の仕切部分の詳細構成図である。
【００５２】
図８に示す現像装置６は、樹脂製の槽２１の内面に硬質ゴムの内張が施されたものであり、その結果、槽２１の内面には内張層６３１が形成されている。図８には、この内張が、槽２１の中央に固定された、内張層６３１と同じ硬質ゴム製の心材６３２に対しても施されていることで、槽２１の内部空間を２つに仕切る仕切弾性部６３が形成されている様子が示されている。尚、この現像装置６は、本発明の現像装置の第５実施形態である。
【００５３】
また、この現像装置６には、この槽２１を振動させるために回転駆動する偏心モータ６４が備えられており、この偏心モータ６４は、槽２１の底面に固定されている。このため、偏心モータ６４を駆動させることで仕切弾性体６３は振動する。したがって、本実施形態の現像装置６でも、偏心モータ６４を適宜駆動させることで、仕切弾性体６３に付着した現像剤をほぐすことができる。
【００５４】
図９は、第６実施形態の現像装置の仕切部分の詳細構成図である。
【００５５】
図９に示す現像装置７は、仕切部７３を有する、硬質ゴム製の槽７１と、この槽７１を内包した、樹脂製のハウジング７４と、槽２１の底面に固定された偏心モータ６４とを備えている。このため、偏心モータ６４を駆動させることで槽７１が振動し、仕切部７３は振動する。したがって、本実施形態の現像装置７でも、偏心モータ６４を適宜駆動させることで、仕切部７３に付着した現像剤をほぐすことができる。尚、この現像装置７は、本発明の現像装置の第６実施形態である。
【００５６】
以上が、本発明の画像形成装置の第１実施形態である画像形成装置１と、その現像装置として配備可能な、本発明の現像装置の実施形態についての説明である。
【００５７】
次に、本発明の画像形成装置の第２実施形態である画像形成装置に備えられた、本発明の現像装置の第７実施形態である現像装置について説明する。尚、本発明の画像形成装置の第２実施形態である画像形成装置の外観および機能については、現像装置を除き、上述した画像形成装置１と同じであるので説明は省略する。
【００５８】
図１０は、第７実施形態の現像装置の仕切部分の外観斜視図であり、図１１は、第７実施形態の現像装置の仕切部分の概略断面図である。
【００５９】
図１０に示す現像装置８は、図６にも示す、仕切板４３が底面に固定された槽２１と、樹脂製のバー８１と、このバー８１を仕切板４３に沿って移動させる駆動部８２とを備えている。
【００６０】
駆動部８２は、表面に螺旋状の溝が設けられた螺旋棒８２４、仕切板４３の上面に配備され、螺旋棒８２４を回転自在に支持する支持台８２６、螺旋棒８２４の表面に設けられている溝と噛み合う溝が内周面に設けられた円筒部材８２５、この螺旋棒８２４の端部に取り付けられたギア８２３、および、このギア８２３と噛み合うピニオンギア８２２が回転軸８２１１に取り付けられたモータ８２１を備えている。
【００６１】
図１１には、螺旋棒８２４と円筒部材８２５とが噛み合うと共に、この円筒部材８２５の外周面に、上述のバー８１が仕切板４３の両面に沿うように取り付けられている様子が示されている。このため、モータ８２１を駆動させることで螺旋棒８２４が回転すると、円筒部材８２５は螺旋棒８２４に沿って移動することから、これに伴って２本のバー８１は仕切板４３に沿って移動する。したがって、本実施形態の現像装置８でも、モータ８２１を適宜駆動させることで、仕切板４３に付着した現像剤をほぐすことができる。
【００６２】
尚、以上に説明した各実施形態では、本発明にいう仕切の一例として、仕切が１つの場合が示されているが、本発明にいう仕切は、１つでなくてもよく、２つ以上あってもよい。
【図面の簡単な説明】
【００６３】
【図１】画像形成装置の概略構成図である。
【図２】図１に示した現像器の詳細構成図である。
【図３】図１に示した現像器の詳細構成図である。
【図４】図２および図３に示す現像装置の仕切板部分の詳細構成図である。
【図５】第２実施形態の現像装置の仕切部分の詳細構成図である。
【図６】第３実施形態の現像装置の仕切部分の詳細構成図である。
【図７】第４実施形態の現像装置の仕切部分の詳細構成図である。
【図８】第５実施形態の現像装置の仕切部分の詳細構成図である。
【図９】第６実施形態の現像装置の仕切部分の詳細構成図である。
【図１０】第７実施形態の現像装置の仕切部分の外観斜視図である。
【図１１】第７実施形態の現像装置の仕切部分の概略断面図である。
【符号の説明】
【００６４】
１  画像形成装置
２、３、４、５、６、７  現像器
２０  現像ロール
２１  槽
２２  撹拌部材
２３、３３、４３、５３、６３  仕切板
２３１  固定部
２３２  駆動部
２４、３４、４４、５４  駆動部
４４１  カム
２４１、６４、７４、８２１  モータ
８１  バー
８２４  螺旋棒
８２５  円筒部材
８２６  支持台
【図１】
2009198778.tif 000003
【図２】
2009198778.tif 000004
【図３】
2009198778.tif 000005
【図４】
2009198778.tif 000006
【図５】
2009198778.tif 000007
【図６】
2009198778.tif 000008
【図７】
2009198778.tif 000009
【図８】
2009198778.tif 000010
【図９】
2009198778.tif 000011
【図１０】
2009198778.tif 000012
【図１１】
2009198778.tif 000013